(57)【特許請求の範囲】
【請求項１】
装置本体と、該装置本体内にあり燃料を燃焼する燃焼部と、該燃焼部で発生した燃焼ガスから顕熱を回収して湯水を加熱する一次熱交換器と、該一次熱交換器を通過した燃焼ガスから潜熱を回収して湯水を加熱する二次熱交換器と、該二次熱交換器で発生したドレン水が流入する中和器と、該中和器内に形成され中和剤が封入された中和部と、該中和部で中和されたドレン水を前記装置本体の外へ排水する排水部と、前記一次熱交換器と前記二次熱交換器とで加熱された湯水が流動する給湯回路と、該給湯回路に接続され給湯回路内が高圧の際に弁を開成して前記装置本体の外へ排水する過圧逃がし弁が設置された給湯排水管と、前記給湯回路に接続され浴槽へ送水する湯張り回路と、該湯張り回路に接続され弁を開成して湯張り回路内の湯水を前記装置本体の外へ排水する排水弁が設置された風呂排水管とを備えた潜熱回収型給湯機において、前記給湯排水管と前記風呂排水管とを前記中和器の前記排水部に接続したことを特徴とする潜熱回収型給湯機。
【請求項２】
前記中和器の所定位置に開口を形成したことを特徴とする請求項１記載の潜熱回収型給湯機。
【発明の詳細な説明】
【技術分野】
【０００１】
この発明は、潜熱を回収する二次熱交換器を備えた潜熱回収型給湯機に関するものである。
【背景技術】
【０００２】
従来、この種の潜熱回収型給湯機について、図３で示すようなものがあった。
１０１は燃料を燃焼する燃焼部１０２を備えた装置本体、１０３は燃焼部１０２で発生した燃焼ガスの顕熱で配管内の湯水を加熱する一次熱交換器、１０４は一次熱交換器１０３を通過した燃焼ガスの潜熱で配管内部の湯水を加熱する二次熱交換器、１０５は内部に中和剤１０６を封入した中和器、１０７は市水が流動する給水管、１０８は各熱交換器で加熱された温水が流動する給湯管、１０９は給水管１０７と二次熱交換器１０４と一次熱交換器１０３と給湯管１０８とを順次配管で接続した給湯回路、１１０は二次熱交換器１０４で発生したドレン水を中和器１０５に流入する排水パイプ、１１１は給湯回路１０９途中に設置され配管内の圧力上昇時に弁を開成して排水する過圧逃がし弁、１１２は過圧逃がし弁１１１に接続され排水を中和器１０５に流入する給湯排水管である。
【０００３】
前記中和器１０５の上部に排水パイプ１１０と給湯排水管１１２が接続されることで、排水パイプ１１０から流入した強酸性のドレン水が給湯排水管１１２から流入した温水と混ざって希釈され、ｐＨ濃度を安定させてから装置本体１０１の外へ排水することができ、更に、排水経路を一つにまとめたことで施工を簡易にしたものがあった。（例えば、特許文献１）
【先行技術文献】
【特許文献】
【０００４】
【特許文献１】特開２００４−６１０５１号公報
【発明の概要】
【発明が解決しようとする課題】
【０００５】
しかし、この従来のものでは、排水パイプ１１０から中和器１０５に流入するドレン水の量と給湯排水管１１２から中和器１０５に流入する温水の量は同等でないことから、ドレン水が温水で希釈される量は制限されてしまい、更に、温水を中和器１０５内に流入することで中和剤１０６が削られて体積が減少するため、ドレン水の中和作用が弱まる問題があった。
【０００６】
また、断水などで給湯回路１０９の給水管１０７側が負圧になると、給湯排水管１１２内を流動する排水が逆流することから、中和器１０５内の十分に中和されていないドレン水が給湯排水管１１２から給湯回路１０９に流入するおそれがあった。
【課題を解決するための手段】
【０００７】
上記課題を解決するために、本発明の請求項１では、装置本体と、該装置本体内にあり燃料を燃焼する燃焼部と、該燃焼部で発生した燃焼ガスから顕熱を回収して湯水を加熱する一次熱交換器と、該一次熱交換器を通過した燃焼ガスから潜熱を回収して湯水を加熱する二次熱交換器と、該二次熱交換器で発生したドレン水が流入する中和器と、該中和器内に形成され中和剤が封入された中和部と、該中和部で中和されたドレン水を前記装置本体の外へ排水する排水部と、前記一次熱交換器と前記二次熱交換器とで加熱された湯水が流動する給湯回路と、該給湯回路に接続され給湯回路内が高圧の際に弁を開成して前記装置本体の外へ排水する過圧逃がし弁が設置された給湯排水管と、前記給湯回路に接続され浴槽へ送水する湯張り回路と、該湯張り回路に接続され弁を開成して湯張り回路内の湯水を前記装置本体の外へ排水する排水弁が設置された風呂排水管とを備えた潜熱回収型給湯機において、前記給湯排水管と前記風呂排水管とを前記中和器の前記排水部に接続したものである。
【０００８】
また、請求項２では、前記中和器の所定位置に開口を形成したものである。
【発明の効果】
【０００９】
この発明の請求項１によれば、給湯排水管と風呂排水管とを排水部に接続したことで、給湯排水管と風呂排水管を流動する排水が中和器の中和部に封入された中和剤に接触せず装置本体の外へ排水されるので、中和剤消耗の早期化を防止することができる。
【００１０】
また、請求項２によれば、中和器に大気開放となる開口を形成したことで、断水等で給湯回路が負圧になっても中和器内は大気圧に保たれるので、給湯排水管や風呂排水管へ中和器内のドレン水や排水部の排水が逆流して給湯回路や湯張り回路内に流入することを確実に防止できる。
【図面の簡単な説明】
【００１１】
【図１】この発明の一実施形態を示す潜熱回収型給湯機の概略構成図
【図２】同発明の中和器の構造を示す図
【図３】従来の潜熱回収型給湯機を説明する図
【発明を実施するための形態】
【００１２】
次に、この発明の一実施形態を図面に基づいて説明する。
１は灯油等の燃料を燃焼して燃焼ガスを生成する燃焼部２を備えた装置本体、３は燃焼部２で発生した燃焼ガスの顕熱で配管内の湯水を加熱する一次熱交換器、４は一次熱交換器３を通過した燃焼ガスの潜熱で配管内の湯水を加熱する二次熱交換器である。
【００１３】
５は二次熱交換器４と一端が接続され市水が流動する給水管、６は一次熱交換３と一端が接続され加熱された温水が流動する給湯管であり、給水管５と二次熱交換器４と一次熱交換器３と給湯管６とを順次配管で接続して給湯回路７が形成されている。
【００１４】
８は給水管６から分岐した給水バイパス管、９は給湯管７途中に設置され給水バイパス管８に一端が接続された混合弁であり、使用者が設定した給湯温度や風呂温度となるよう混合弁９の開度を調節して湯水を混合し、給湯管７の下流側に送水する。
【００１５】
１０は浴室に備えられた浴槽、１１は燃焼部２で発生した燃焼ガスで浴槽水を加熱する風呂熱交換器、１２は浴槽１０に貯められた浴槽水を風呂熱交換器１１へ流入させる風呂往き管、１３は風呂熱交換器１１で加熱された浴槽水を浴槽１０へ流入させる風呂戻り管であり、風呂往き管１２、風呂熱交換器１１、風呂戻り管１３とで風呂循環回路１４が形成される。
【００１６】
１５は風呂戻り管１３途中に設置された循環ポンプであり、駆動することで浴槽１０の浴槽水を循環させ、風呂熱交換器１１で加熱して使用者が設定した設定温度に浴槽水を保温する。
【００１７】
１６は給湯管６と風呂往き管１２とに接続され混合弁９で調節された温水を浴槽１０へ送水する湯張り回路であり、湯張り電磁弁１７、湯張りフローセンサ１８、排水弁１９、逆止弁２０を２つ内蔵したホッパー２１が配管途中に設置されている。
【００１８】
２２は二次熱交換器４で発生したドレン水を回収するドレン回収板、２３はドレン回収板２２に接続され回収したドレン水が流動する排水パイプである。
【００１９】
２４は給湯回路７途中に接続され、一次熱交換器３及び二次熱交換器４で加熱され膨張した湯水によって管内の圧力が上昇した際、過圧逃がし弁２５を開成して排水する給湯排水管であり、配管内の圧力に応じて適宜過圧逃がし弁２５を開成することで排水し、配管の損傷を防止する。
【００２０】
２６は排水弁１９に接続され断水等で給湯回路７が負圧になった際、排水弁１９を開成して湯張り回路１６を逆流してきた浴槽水を排水する風呂排水管である。
【００２１】
２７は給水管５に設置された給水栓、２８は給湯管６に設置され使用者が栓を操作することで設定温度の湯水が流出する給湯栓である。
【００２２】
２９は中和器であり、排水パイプ２３内を流動するドレン水が流入する水封部３１と、炭酸カルシウム等の中和剤３０が封入された中和部３２と、該中和部３２で中和されたドレン水を中和器２９から装置本体１の外に排水する排水流路３３が形成された排水部３４とで構成されている。
【００２３】
排水部３４に排水流路３３へ配管内を流動する排水が直接流入するように給湯排水管２４と風呂排水管２６の端部を接続することで、中和部３２で中和されたドレン水と共に排水経路３３から装置本体１の外へ排水される。
【００２４】
３５は水封部３１に設置され容器内に水が存在するか検知する水封検知電極、３６は中和器２９のメンテナンスや交換の際にキャップを外して水封部３１内から排水する水抜き栓である。
【００２５】
３７は中和部３２の上面に形成された開口であり、所定の大きさで大気開放状態にすることで中和器２９内を大気圧と同等にする。
【００２６】
３８は中和器２９の下部に設置された電気ヒータであり、外気温が低温の際に通電して中和器２９内にあるドレン水の凍結を防止する。
【００２７】
以上のように、中和器２９の排水部３４に給湯排水管２４と風呂排水管２６とを接続した構造にしたことで、装置本体１の外へ排水する流路が一つにまとめられ配管の施工が簡易になり、給湯排水管２４と風呂排水管２６内を流動する排水が排水流路３３に直接流入するので、中和部３２に封入された中和剤３０に接触せず、中和剤３０が消耗して中和能力が低下してしまうことを防止できる。
【００２８】
また、断水等が発生して給湯回路７を構成する給水管５側が負圧になり、給湯排水管２４及び風呂排水管２６内の排水が逆流する方向へ流動しても、中和器２９に形成した開口３７によって中和器２９内が大気圧に保たれているため、排水流路３３内の排水が中和器２９の方向に逆流せず、混合した排水が給湯回路７や湯張り回路１６に流入するクロスコネクションを確実に防止できる。
【００２９】
また、外気温が低温の際における排水の凍結防止対策が排水流路３３のみに電気ヒータ３８を設置することでおこなえるため、各排水管のそれぞれについて凍結防止対策をする必要がなくなり、設置コストを削減することができる。
【００３０】
なお、本発明は上記実施例に限定されるものではなく、例えば、装置本体１内に設置された排水流路３３の途中に給湯排水管２４と風呂排水管２６とを接続する構造であってもよく、排水の経路を一つにまとめたことで施工を簡易にし、凍結防止用の電気ヒータ３８の設置個数を削減して、排水流路３３途中からドレン水と共に装置本体１の外へ排水可能とするものである。
【符号の説明】
【００３１】
１    装置本体
２    燃焼部
３    一次熱交換器
４    二次熱交換器
７    給湯回路
１０    浴槽
１６    湯張り回路
１９    排水弁
２３    排水パイプ
２４    給湯排水管
２５    過圧逃がし弁
２６    風呂排水管
２９    中和器
３０    中和剤
３２    中和部
３３    排水流路
３４    排水部
３７    開口
【図１】
0005681074.tif 000002
【図２】
0005681074.tif 000003
【図３】
0005681074.tif 000004